(57)【要約】  生体（３０）の小腸（３４）内へ内視鏡（３８）を実際に挿入したときの感触に近似した感触が得られて、内視鏡（３８）の実際的な操作に習熟することができる小腸内視鏡練習模型（１１）を提供することができる。この練習模型（１１）は、模擬小腸（１３）の複数の箇所にそれぞれ弾性力を加えるための複数本の長手状弾性体（３２）を備えている。複数本の長手状弾性体（３２）の一端部側は、模擬小腸（１３）側の第１の取り付け部（２７）にそれぞれ取り付けられている。また、複数本の長手状弾性体（３２）の他端部側は、ケース（１２）側の第２の取り付け部（３３、５７）にそれぞれ取り付けられている。
2011027634.tif 000002
【特許請求の範囲】
【請求項１】
模擬腹腔（１５）のための空間を有するケース（１２）と、
上記模擬腹腔（１５）のための空間に収容されている模擬小腸（１３）とを備えている小腸内視鏡練習模型において、
上記模擬小腸（１３）の複数の箇所にそれぞれ弾性力を加えるための複数本の長手状弾性体（３２）を備え、
上記長手状弾性体（３２）のそれぞれの一端部側が、上記模擬小腸（１３）側の上記複数の箇所付近である複数の第１の取り付け部（２７）にそれぞれ取り付けられ、
上記長手状弾性体（３２）のそれぞれの他端部側が、上記ケース（１２）側の第２の取り付け部（３３、５７）にそれぞれ取り付けられていることを特徴とする小腸内視鏡練習模型。
【請求項２】
上記模擬小腸（１３）内へ内視鏡（３８）が挿入されて上記模擬小腸（１３）が伸展されたときに、上記複数本の長手状弾性体（３２）によってそれぞれ加えられる上記弾性力が、生体の腸間膜による小腸の元の位置への復元力に近似していることを特徴とする、請求の範囲第１項に記載の小腸内視鏡練習模型。
【請求項３】
上記複数本の長手状弾性体（３２）が、それらの一端部側からそれらの他端部側にかけてほぼ共通の箇所に向かって寄せ集められて、上記ケース（１２）側の１つまたは複数の上記第２の取り付け部（３３、５７）に取り付けられていることを特徴とする、請求の範囲第１項または第２項に記載の小腸内視鏡練習模型。
【請求項４】
上記複数本の長手状弾性体（３２）の他端部側が、上記ケース（１２）側の共通の上記第２の取り付け部（３３、５７）に取り付けられていることを特徴とする、請求の範囲第１項、第２項または第３項に記載の小腸内視鏡練習模型。
【請求項５】
上記複数本の長手状弾性体（３２）によって上記模擬小腸（１３）にそれぞれ加えられる上記弾性力が、上記複数本の長手状弾性体（３２）のそれぞれの長さ方向にほぼ沿った引っ張り力であることを特徴とする、請求の範囲第１項〜第４項のうちのいずれか１つに記載の小腸内視鏡練習模型。
【請求項６】
上記複数本の長手状弾性体（３２）のそれぞれがゴムひもおよび／またはコイルばねであることを特徴とする、請求の範囲第１項〜第５項のうちのいずれか１つに記載の小腸内視鏡練習模型。
【請求項７】
上記複数本の長手状弾性体（３２）のそれぞれがゴムひもであることを特徴とする、請求の範囲第１項〜第５項のうちのいずれか１つに記載の小腸内視鏡練習模型。
【請求項８】
上記複数本の長手状弾性体（３２）の本数が３本〜１０本（好ましくは、４本〜８本）の範囲であることを特徴とする、請求の範囲第１項〜第７項のうちのいずれか１つに記載の小腸内視鏡練習模型。
【請求項９】
上記複数の第１の取り付け部（２７）の取り付け間隔が、上記模擬小腸（１３）の仮想の軸心を直線状に配置したときの軸心方向における長さに換算して、１５〜３０ｃｍ（好ましくは、１８〜２４ｃｍ）の範囲であることを特徴とする、請求の範囲第１項〜第８項のうちのいずれか１つに記載の小腸内視鏡練習模型。
【請求項１０】
上記長手状弾性体（３２）の１００％伸長時の荷重が、０．１５〜０．３０ｋｇ重（好ましくは、０．２０〜０．２４ｋｇ重）の範囲であることを特徴とする、請求の範囲第１項〜第９項のうちのいずれか１つに記載の小腸内視鏡練習模型。
【請求項１１】
内視鏡（３８）を肛門から大腸（３５）を経由して小腸（３４）内にまで挿入する操作が練習できるように構成されていることを特徴とする、請求の範囲第１項〜第１０項のうちのいずれか１つに記載の小腸内視鏡練習模型。
【請求項１２】
内視鏡（３８）を口から食道および胃を経由して小腸（３４）内にまで挿入する操作が練習できるように構成されていることを特徴とする、請求の範囲第１項〜第１０項のうちのいずれか１つに記載の小腸内視鏡練習模型。
【請求項１３】
上記模擬腹腔（１５）のための空間に収容されている模擬大腸（１４）と、
上記模擬大腸（１４）の腹面側（Ｃ）に敷設されているシート（２４）と、
上記シート（２４）に設けられている開孔（２６）とを備え、
上記模擬小腸（１３）が、上記シート（２４）の腹面側（Ｃ）に配置されるとともに、上記開孔（２６）を通過して上記模擬大腸（１４）に接続されており、
上記模擬大腸（１４）と、上記模擬小腸（１３）のうちの上記開孔（２６）よりも背面側（Ｄ）の部分とが、上記シート（２４）によってほぼ覆われていることを特徴とする、請求の範囲第１項〜第１１項のうちのいずれか１つに記載の小腸内視鏡練習模型。
【請求項１４】
上記複数の第１の取り付け部（２７）が、上記シート（２４）よりも腹面側（Ｃ）の箇所と、上記シート（２４）よりも背面側（Ｄ）の箇所とを含んでおり、
上記シート（２４）よりも腹面側（Ｃ）の箇所に上記一端部側が取り付けられている上記長手状弾性体（３２）は、上記シート（２４）よりも腹面側（Ｃ）を通過して上記第２の取り付け部（３３、５７）まで延びており、
上記シート（２４）よりも背面側（Ｄ）の箇所に上記一端部側が取り付けられている上記長手状弾性体（３２）は、上記シート（２４）よりも背面側（Ｄ）を通過して上記第２の取り付け部（３３、５７）まで延びていることを特徴とする、請求の範囲第１３項に記載の小腸内視鏡練習模型。
【請求項１５】
上記模擬小腸（１３）を、その長さ方向におけるほぼ全長にわたって、上記模擬腹腔（１５）の内側表面に接触させることができるように構成され、
上記模擬小腸（１３）内へ挿入された内視鏡（３８）によってその内側から押された上記模擬小腸（１３）が、上記模擬腹腔（１５）の上記内側表面に沿って移動できるように、上記内側表面が平滑さを有していることを特徴とする、請求の範囲第１項〜第１２項のうちのいずれか１つに記載の小腸内視鏡練習模型。
【請求項１６】
上記ケース（１２）が、ケース本体と、このケース本体の上面に形成された天面開口（５４）を閉塞および開放し得るように、上記ケース本体に取り付けられる天面シート部材（４３）とを備えていることを特徴とする、請求の範囲第１項〜第１５項のうちのいずれか１つに記載の小腸内視鏡練習模型。
【請求項１７】
上記ケース（１２）が、不透明な下側ケース部材（４１）と、この下側ケース部材（４１）に着脱自在に結合される透明な上側ケース部材（４２）と、この上側ケース部材（４２）の上面に形成された天面開口（５４）を閉塞および開放し得るように、上記上側ケース部材（４２）に取り付けられる天面シート部材（４３）とを備えていることを特徴とする、請求の範囲第１項〜第１５項のうちのいずれか１つに記載の小腸内視鏡練習模型。
【請求項１８】
上記下側ケース部材（４１）が、棚部（４６）と、模擬腹腔（１５）のための空間を形成するための立ち上がり壁部（４４、４５）とを備えていることを特徴とする、請求の範囲第１７項に記載の小腸内視鏡練習模型。
【請求項１９】
上記ケース（１２）を載置するための載置板（６４）または載置台を備え、
上記載置板（６４）または載置台上に上記ケース（１２）をほぼ水平な状態で載置することと、上記載置板（６４）または載置台上に上記ケース（１２）をほぼ垂直な状態で載置することとを選択的に可能にする係合機構（６６、６７、６８）をさらに備えていることを特徴とする、請求の範囲第１項〜第１８項のうちのいずれか１つに記載の小腸内視鏡練習模型。
【請求項２０】
上記係合機構（６６、６７、６８）が、上記ケース（１２）と上記載置板（６４）または載置台とのうちの一方に設けられた複数の係合ピン（６６）と、上記ケース（１２）と上記載置板（６４）または載置台とのうちの他方に設けられた複数の係合孔（６７、６８）とを備えていることを特徴とする、請求の範囲第１９項に記載の小腸内視鏡練習模型。
【発明の詳細な説明】
【技術分野】
【０００１】
本発明は、模擬腹腔のための空間を有するケースと、上記模擬腹腔のための空間に収容されている模擬小腸とを備えている小腸内視鏡練習模型に関するものである。
【背景技術】
【０００２】
生体の消化管は、口から食道、胃、小腸（この小腸は、十二指腸、空腸および回腸に分かれている。）および大腸の順に繋がっており、肛門に至っている。医師が内視鏡によって消化管の内部を観察したり、この内部に対して止血やポリープの切除などの処置をしたりすることは、従来から行われている。しかし、これらの観察や処置の対象は、内視鏡の挿入部位である口または肛門から比較的近い部位に限られていた。具体的には、内視鏡を口から挿入する場合には、胃と十二指腸の一部とまでが、観察や処置の対象範囲であった。また、内視鏡を肛門から挿入する場合には、大腸までが、観察や処置の対象範囲であった。【０００３】
なお、上述のような観察や処置を練習するための先行技術として、生体の食道と胃と十二指腸の一部とを模倣した上部消化管内視鏡練習模型（日本国特開昭６１−２１３８７７号公報「内視鏡訓練用内臓消化管模型」）や、生体の肛門から大腸までを模倣した大腸内視鏡練習模型（日本国特開昭５８−１９２５２３号公報「大腸内視鏡挿入練習装置」）が、存在している。そして、医師は、内視鏡の操作を練習するために、これらの模型を用いることができる。
【特許文献１】日本国特開昭６１−２１３８７７号公報
【特許文献２】日本国特開昭５８−１９２５２３号公報
【０００４】
近年、従来の内視鏡に改良を加えることによって、上部消化管や大腸よりも遠い位置にある消化管である小腸（特に、空腸および回腸）内にまで、口または肛門から挿入可能であるバルーン内視鏡が、開発された。この結果、小腸の内部を観察することや、この内部に対して止血やポリープの切除などの処置をすることが、可能になった。このことに伴って、小腸内にまで内視鏡を挿入して操作する練習を行うための練習模型が、必要になってきた。【０００５】
一方、小腸内の観察を目的として口から飲み込むカプセル内視鏡が、実用化されている。そして、このカプセル内視鏡は、その使用時に、患者に与える苦痛が少ない。しかし、このカプセル内視鏡には、観察のみ可能で、止血やポリープの切除などの処置や生検ができないことや、腸管の閉塞や狭窄が疑われる患者には使用できないことなどの欠点がある。このために、従来からの内視鏡がカプセル内視鏡に取って代わられることはなくて、両者は、今後も、目的に応じて使い分けられていくと考えられる。【０００６】
小腸は、内視鏡が従来挿入されていた臓器よりもさらに奧にあることや、小腸自体が曲がりくねった管腔臓器であることなどのために、内視鏡を小腸内へ挿入して目的の部位にまで進めていく操作は、近年開発されたバルーン内視鏡などを用いても、非常に困難なものである。このために、内視鏡の操作に習熟していない者が操作すると、小腸の十分に広い範囲を観察できなくて、目的を達成することができなかったり、危険な操作のために、腸管を損傷したりする危険性がある。したがって、内視鏡を小腸内へ挿入する操作を練習するための練習模型が、必要になってきている。
【発明の開示】
【０００７】
本発明は、模擬腹腔のための空間を有するケースと、上記模擬腹腔のための空間に収容されている模擬小腸とを備えている小腸内視鏡練習模型において、上記模擬小腸の複数の箇所にそれぞれ弾性力を加えるための複数本の長手状弾性体を備え、上記長手状弾性体のそれぞれの一端部側が、上記模擬小腸側の上記複数の箇所付近である複数の第１の取り付け部にそれぞれ取り付けられ、上記長手状弾性体のそれぞれの他端部側が、上記ケース側の第２の取り付け部にそれぞれ取り付けられていることを特徴とする小腸内視鏡練習模型に係るものである。本発明によれば、上記第１の取り付け部および上記第２の取り付け部の位置などを適当に選択することによって、医師が小腸内へ内視鏡を挿入して小腸の内部をこの内視鏡で観察したり処置したりすることを短期間に習熟することができる優れた練習模型を提供することができる。
【０００８】
そして、本発明の第１の観点においては、上記模擬小腸内へ内視鏡が挿入されて上記模擬小腸が伸展されたときに、上記複数本の長手状弾性体によってそれぞれ加えられる上記弾性力が、生体の腸間膜による小腸の元の位置への復元力に近似しているのが好ましい。また、本発明の第２の観点においては、上記複数本の長手状弾性体が、それらの一端部側からそれらの他端部側にかけて、ほぼ共通の箇所に向かって寄せ集められて、上記ケース側の１つまたは複数の上記第２の取り付け部に取り付けられているのが好ましい。また、本発明の第３の観点においては、上記複数本の長手状弾性体の他端部側が、上記ケース側の共通の上記第２の取り付け部に取り付けられているのが好ましい。また、本発明の第４の観点においては、上記複数本の長手状弾性体によって上記模擬小腸にそれぞれ加えられる上記弾性力が、上記複数本の長手状弾性体のそれぞれの長さ方向にほぼ沿った引っ張り力であるのが好ましい。また、本発明の第５の観点においては、上記複数本の長手状弾性体のそれぞれがゴムひもおよび／またはコイルばねであるのが好ましい。また、本発明の第６の観点においては、上記複数本の長手状弾性体のそれぞれがゴムひもであるのが好ましい。また、本発明の第７の観点においては、上記複数本の長手状弾性体の本数が３本〜１０本（さらに好ましくは、４本〜８本）の範囲であるのが好ましい。さらに、本発明の第８の観点においては、上記複数の第１の取り付け部の取り付け間隔が、上記模擬小腸の仮想の軸心を直線状に配置したときの軸心方向における長さに換算して、１５〜３０ｃｍ（さらに好ましくは、１８〜２４ｃｍ）の範囲であるのが好ましい。
【０００９】
また、本発明の第９の観点においては、上記長手状弾性体の１００％伸長時の荷重が、０．１５〜０．３０ｋｇ重（好ましくは、０．２０〜０．２４ｋｇ重）の範囲であるのが好ましい。この第９の観点によれば、生体の小腸内へ内視鏡を実際に挿入したときの感触にきわめて近い感触を得ることができるから、内視鏡の実際的な操作に習熟するのがさらに簡単である。
【００１０】
そして、本発明の第１０の観点においては、小腸内視鏡練習模型が、内視鏡を肛門から大腸を経由して小腸にまで挿入する操作が練習できるように構成されることができる。また、本発明の第１１の観点においては、小腸内視鏡練習模型が、内視鏡を口から食道および胃を経由して小腸内にまで挿入する操作が練習できるように構成されることができる。
【００１１】
また、本発明の第１２の観点においては、上記模擬腹腔のための空間に収容されている模擬大腸と、上記模擬大腸の腹面側に敷設されているシートと、上記シートに設けられている開孔とを備え、上記模擬小腸が、上記シートの腹面側に配置されるとともに、上記開孔を通過して上記模擬大腸に接続されており、上記模擬大腸と、上記模擬小腸のうちの上記開孔よりも背面側の部分とが、上記シートによってほぼ覆われているのが好ましい。この第１２の観点によれば、模擬小腸のうちで模擬大腸との接続部に近い部分の動きが制限されるとともに、模擬小腸のうちで模擬大腸との接続部から離れている部分は比較的自由にかつ円滑に動くことができる。このために、生体の肛門から大腸を経由して小腸内へ内視鏡を実際に挿入したときの感触にさらに近い感触が得られて、内視鏡のさらに実際的な操作に習熟することができる。
【００１２】
また、本発明の第１３の観点においては、上記複数の第１の取り付け部が、上記シートよりも腹面側の箇所と、上記シートよりも背面側の箇所とを含んでおり、上記シートよりも腹面側の箇所に上記一端部側が取り付けられている上記長手状弾性体は、上記シートよりも腹面側を通過して上記第２の取り付け部まで延びており、上記シートよりも背面側の箇所に上記一端部側が取り付けられている上記長手状弾性体は、上記シートよりも背面側を通過して上記第２の取り付け部まで延びているのが好ましい。この第１３の観点によれば、シートが敷設されていても、シートが敷設されていない場合とほぼ同じ位置に複数の第１の取り付け部を選定することができ、また、長手状弾性体の動きがシートに実質的に阻害されないようにすることができる。このために、生体の肛門から大腸を経由して小腸内へ内視鏡を実際に挿入したときの感触にさらに近い感触が得られて、内視鏡のさらに実際的な操作に習熟することができる。
【００１３】
また、本発明の第１４の観点においては、上記模擬小腸を、その長さ方向におけるほぼ全長にわたって、上記模擬腹腔の内側表面に接触させることができるように構成され、上記模擬小腸内へ挿入された内視鏡によってその内側から押された上記模擬小腸が、上記模擬腹腔の上記内側表面に沿って移動できるように、上記内側表面が平滑さを有していることができる。この第１４の観点によれば、模擬大腸や模擬大腸による凹凸を緩和するためのシートがなくても支障がない。このために、特に、生体の口から食道および胃を経由して小腸内へ内視鏡を挿入するための操作に習熟するための小腸内視鏡練習模型を低コストで実現することができる。
【００１４】
さらに、本発明の第１５の観点においては、上記ケースが、ケース本体と、このケース本体の上面に形成された天面開口を閉塞および開放し得るように、上記ケース本体に取り付けられる天面シート部材とを備えているのが好ましい。そして、本発明の第１６の観点においては、上記ケースが、不透明な下側ケース部材と、この下側ケース部材に着脱自在に結合される透明な上側ケース部材と、この上側ケース部材の上面に形成された天面開口を閉塞および開放し得るように、上記上側ケース部材に取り付けられる天面シート部材とを備えているのが好ましい。また、本発明の第１７の観点においては、上記下側ケース部材が、棚部と、模擬腹腔のための空間を形成するための立ち上がり壁部とを備えているのが好ましい。上記第１５〜第１７の観点によれば、模擬小腸などの模擬生体が外部に晒されて外部の埃などを不測に浴びることがなくかつ取り扱いが簡単なケースを安価に製造することができる。
【００１５】
また、本発明の第１８の観点によれば、上記ケースを載置するための載置板または載置台を備え、上記載置板または載置台上に上記ケースをほぼ水平な状態で載置することと、上記載置板または載置台上に上記ケースをほぼ垂直な状態で載置することとを選択的に可能にする係合機構をさらに備えているのが好ましい。この場合、上記係合機構が、上記ケースと上記載置板または載置台とのうちの一方に設けられた複数の係合ピンと、上記ケースと上記載置板または載置台とのうちの他方に設けられた複数の係合孔とを備えていることができる。上記第１８の観点によれば、生体が上向きになって寝転がった状態（すなわち、仰臥位になった状態）と同様の状態になっている小腸内視鏡練習模型を内視鏡の操作の練習に用いることができるだけでなく、生体が横向きになって寝転がった状態（すなわち、側臥位になった状態）と同様の状態になっている共通の小腸内視鏡練習模型を内視鏡の操作の練習に用いることができる。したがって、単一の小腸内視鏡練習模型でもって、実質的には生体の２種類の体位についての内視鏡操作の練習を行うことができる。
【図面の簡単な説明】
【００１６】
【図１】本発明を適用した第１の実施例による小腸内視鏡練習模型の斜視図である。
【図２】模擬小腸の大部分が取り除かれている状態での図１に示す小腸内視鏡練習模型の斜視図である。
【図３】図１に示す小腸内視鏡練習模型の肛門付近の縦断面図である。
【図４】生体へ内視鏡を挿入する前の状態での小腸と大腸との接続部付近の正面図であって、上記第１の実施例を説明するための第１の参考図である。
【図５】生体の肛門および大腸を経由して小腸内へ内視鏡を挿入した状態での小腸と大腸との接続部付近の正面図であって、上記第１の実施例を説明するための第２の参考図である。
【図６】本発明を適用した第３の実施例による載置板付き小腸内視鏡練習模型の斜視図である。
【図７】図６に示す載置板付き小腸内視鏡練習模型の縦断面図である。
【図８】図６に示す載置板付き小腸内視鏡練習模型の別の使用状態での斜視図である。
【図９】小腸内視鏡練習模型が載置板から分離されてからその上下を引っ繰り返された状態での図６に示す載置板付き小腸内視鏡練習模型の斜視図である。
【図１０】収納状態または搬送状態での図６に示す載置板付き小腸内視鏡練習模型の斜視図である。
【発明を実施するための最良の形態】
【００１７】
生体では、小腸のうちの十二指腸を除く部分が、腹腔の後壁から伸びている腸間膜に付着している。この腸間膜は非常に柔軟でかつ伸縮性に富む膜様の構造であるので、小腸に力が加わると、小腸は腹腔内を動くことができる。【００１８】
内視鏡（具体的には、内視鏡の挿入用チューブ部）を、肛門および大腸をそれぞれ経由させるかまたは口、食道および胃をそれぞれ経由させるかして、小腸内へ挿入していくと、小腸は、内視鏡によって小腸自体の内側から押されて、体の外側方向へ伸展される。このときには、腸間膜が引き伸ばされるので、この腸間膜が元の状態へ縮まろうとすることによって、上述のように伸展された小腸を体の中心方向へ引き戻そうとする力が、小腸に加えられる。小腸内視鏡練習模型においても、このような小腸を引き戻そうとする力が模擬小腸にも加えられることが、内視鏡の操作を練習する上で、非常に重要である。【００１９】
このためには、小腸内視鏡練習模型においても、生体と同様に、柔軟で伸縮性に富む素材でできた模擬腸間膜を模擬小腸に取り付ければよい。しかし、実際には、生体の腸間膜のように柔軟で伸縮性に富みかつ実用上問題のない程度の耐久性を有する材料を見い出すことは、困難である。また、仮にこのような材料が見い出されたとしても、模擬小腸の全長にわたって模擬腸間膜を取り付けることになるので、小腸内視鏡練習模型を製造するのが困難であり、このために、小腸内視鏡練習模型を実用的な価格で提供することはできない。【００２０】
本発明の発明者は、小腸内視鏡練習模型（以下、「練習模型」という。）において、模擬小腸のうちの空腸および回腸に１５〜３０ｃｍ間隔でタグ（換言すれば、布製、合成樹脂製などの取り付け片）を取り付け、この取り付け片に長手状弾性体の一端部側を取り付け、長手状弾性体の他端部側を練習模型の筐体（換言すれば、ケースまたはケース本体）に取り付けるという比較的単純な構造でも、生体の小腸内へ内視鏡を挿入したときの感触にきわめて近い感触が練習模型の使用者にも得られることを見い出した。このような長手状弾性体が練習模型のケースに取り付けられる位置は、生体の腸間膜が腹腔の後壁から伸びていることを模倣して、練習模型のケースのうちで模擬小腸が収容されている凹状の模擬腹腔内でもよい。しかし、本発明の発明者は、模擬小腸が引っ張られる方向が生体の場合と概ね一致していれば、実用上は差し支えなく、練習模型のケースの例えば外表面でも差し支えないことも、合わせて見い出した。【００２１】
長手状弾性体の弾力性は、この長手状弾性体の伸長方向に１０ｃｍ間隔で付けられた印（すなわち、しるし）同士の間隔が２０ｃｍに引き伸ばされたときの荷重（以下、「１００％伸長時の荷重」という。）で表した場合、０．１５〜０．３０ｋｇ重が適切であり、０．２０〜０．２４ｋｇ重がさらに適切である。そして、１００％伸長時の荷重が例えば０．４７ｋｇ重の場合には、模擬小腸へ内視鏡を挿入したときの感触は、生体の小腸内へ内視鏡を挿入したときの感触とは、明らかに異なっていた。上記長手状弾性体には、ゴムひもや、金属製または軟質合成樹脂製のコイルばねなどが含まれていてよい。【００２２】
また、肛門から大腸を経由して小腸内へ内視鏡を挿入するための練習模型では、模擬大腸が必然的に存在するとともに、模擬小腸がこの模擬大腸に接続されている必要がある。生体では、小腸のうちの大腸に比較的近い部分は、骨盤腔内にジグザグに折りたたまれている。このことを模倣して、練習模型でも模擬腹腔の下肢側に模擬小腸の一部を折りたたんで入れている。しかし、このままでは、内視鏡が模擬大腸から模擬小腸内へ挿入された際に、模擬小腸が模擬腹腔から大きく飛び出してしまうので、練習模型が生体とは大きく異なってしまう。【００２３】
このことを回避するために、柔軟性のあるシートが模擬大腸を覆うように模擬腹腔全体に敷かれており、模擬小腸の一部は、このシートの下に収容されている。そして、模擬小腸の残りの部分は、シートの一個所に開けられた穴（換言すれば、開孔）を通してシートの上に出されて、このシートの上に配置されている。生体では、骨盤腔内以外の腹腔内にある小腸は比較的大きく動くので、練習模型でもこのことを実現するために、上述のように模擬小腸の残りの部分がシートの上に配置されている。また、シートがあることで、模擬小腸は、模擬大腸に干渉されることなく、動かされることができる。ただし、模擬小腸には、長手状弾性体が取り付け片を介して取り付けられているので、このことによる動きの制限は、存在する。【００２４】
このように長手状弾性体とシートとを用いれば、模擬大腸に近くかつ生体では骨盤腔内にある部分の模擬小腸の動きは、シートと長手状弾性体との両方によって、大幅に制限される。また、生体では骨盤腔内以外にある部分の模擬小腸においては、長手状弾性体のみの制限による模擬小腸の比較的自由な動きが再現される。また、柔軟性のあるシートの下に折りたたんで入れる模擬小腸の量を調整することによって、内視鏡を挿入することの難易度を調整することができるということも、本発明の発明者によって見い出された。【００２５】
さらに、模擬小腸の一部を交換可能な構造にするとともに、別に用意された模擬小腸の部分と交換することによって、練習模型を広い目的に応じた内視鏡の操作の練習に用いることができる。このような別に用意された模擬小腸の部分は、様々な病変部が設けられているものや、内視鏡を挿入しにくい狭窄部が設けられているものなどであってよい。この場合には、例えば、模擬小腸の非交換部分の接続部分と交換部分の接続部分とのうちの一方に外向きまたは内向きの鍔部（換言すれば、環状の凸部）を設けるとともに、これらの接続部分のうちの他方に内向きまたは外向きの環状凹部を設けることができる。このように構成すれば、これらの接続部分のうちの少なくとも一方を弾性変形させて環状の凹部と環状の凸部とを凹凸嵌合させることによって、模擬小腸の非交換部分と交換部分とを接続することができる。【００２６】
以下、本発明の第１〜第３の実施例を、「１、第１の実施例」、「２、第２の実施例」および「３、第３の実施例」に項分けして、さらに具体的に説明する。ただし、本発明は、これら第１〜第３の実施例に限定されるものではない。【００２７】
１、第１の実施例
図１〜図３は、内視鏡を肛門から大腸を経由して小腸内にまで挿入する操作を練習するための第１の実施例による練習模型１１を示している。この練習模型１１のケース１２は、人体の腹部（換言すれば、横隔膜付近から鼠蹊部付近まで）の大きさおよび形状を模倣している。図１において、矢印ＡおよびＢは、人体の胸部側および下肢側にそれぞれ相当する練習模型１１の胸部側および下肢側を示している。また、矢印ＣおよびＤは、人体の腹面側および背面側にそれぞれ相当する練習模型１１の腹面側および背面側を示している。さらに、矢印ＥおよびＦは、人体の左側および右側にそれぞれ相当する練習模型１１の左側および右側を示している。ケース１２は、人体の柔らかさを模倣している必要は特になく、この第１の実施例においては、練習模型１１の持ち運び時の利便性を考慮して、硬質プラスチック製である。【００２８】
ケース１２の腹面側Ｃには、模擬小腸１３と模擬大腸１４とを収容するために、人体の腹腔を模倣している凹状の模擬腹腔１５が設けられている。ケース１２の下肢側Ｂの側面の中央付近には、模擬肛門１６が開口されている。そして、この模擬肛門１６から内視鏡（具体的には、内視鏡の挿入部および内視鏡挿入用オーバーチューブ）を挿入することができる。模擬肛門１６は、後述のように、模擬大腸１４のうちの模擬直腸１７に連結されている。【００２９】
図１〜図３に示すように、ケース１２の模擬腹腔１５は、模擬大腸１４を人体の大腸と同様な形状で配置できるようになっている。換言すれば、模擬大腸１４のうちの上行結腸の途中部分と模擬大腸１４のうちの下行結腸の途中部分とが、それぞれの板状の台に接着されている。そして、これらの台が、模擬腹腔１５の底面にねじでもってそれぞれ固定されている。模擬大腸１４は、生体の大腸の柔軟性に近づけるために、シリコーンゴムで作られている。模擬大腸１４は、生体の大腸と同様に、環状の襞を有する管状に成型されており、その肉厚は０．７〜１．０ｍｍ程度である。模擬大腸１４のうちの模擬直腸１７は、図３に示すように、押圧板２１とねじ２２とによって、ケース１２の下肢側Ｂの内側面の中央付近に模擬肛門１６と同軸状に取り付け固定されている。【００３０】
模擬大腸１４の上（換言すれば、腹面側Ｃ）には、図３に示すように、模擬大腸１４を覆いかつケース１２の壁面との間に模擬骨盤腔２３を形成するための柔軟で滑りのよい塩化ビニル製のシート２４が、敷設されている。このシート２４は、胸部側Ａにおいては、ひも２５でもってケース１２に固定されている。そして、このシート２４は、下肢側Ｂにおいては、図３に示すように、押圧板２１とねじ２２とによってケース１２の下肢側Ｂの内側面の中央付近に固定されている。なお、図２においては、シート２４の上の模擬小腸１３の大部分が練習模型１１から取り除かれているので、シート２４の下の構造が破線などでもって分かりやすく示されている。【００３１】
模擬小腸１３は、生体の小腸の柔軟性に近づけるために、シリコーンゴムで作られている。模擬小腸１３は、生体の小腸と同様に、環状の襞を有する管状に成型されており、その肉厚は０．５〜０．７ｍｍ程度である。また、模擬小腸１３の内部には、病変部やポリープが設けられているので、この練習模型１１を用いることによって、病変部の観察やポリープの切除などの処置についての技術を習得することができる。【００３２】
模擬小腸１３のうちで模擬大腸１４との接続部２８から長さ２０ｃｍ程度までの部分は、図２に示すように、折りたたまれるかまたはループを描くようにして、シート２４の下に配置されている。シート２４には、開孔２６が設けられている。そして、模擬小腸１３のうちで模擬大腸１４との接続部２８から長さ２０ｃｍ程度の部分が、この開孔２６を通過している。また、この開孔２６からさらに先の模擬小腸１３は、シート２４の上に適当に曲がりくねった状態で配置されることができる。この配置は、シート２４上で自由に行うことができる。【００３３】
内視鏡を肛門から大腸を経由して小腸内にまで挿入する操作を練習するためには、模擬小腸１３の全長は１〜１．５ｍ程度の長さで十分である。なぜならば、模擬小腸１３の全長がこれ以上の長さであっても、内視鏡を挿入するための操作手順は同じことの繰り返しであり、それ以上の長さである必要がないからである。【００３４】
模擬小腸１３の外表面には、図１に示すように、合計５個の取り付け片２７が適当な間隔で取り付けられている。この適当な取り付け間隔は、模擬小腸１３の長さ方向（換言すれば、模擬小腸１３の仮想の軸心を直線状に配置したときの軸心方向）における長さに換算して、１５〜３０ｃｍの範囲であるのが好ましく、１８〜２４ｃｍの範囲であるのがさらに好ましい。これらの取り付け片２７には、穴（換言すれば、開孔）３１が設けられており、それぞれの開孔３１には、１本ずつのゴムひも３２の一端部が取り付けられている。また、ケース１２の右側Ｆでかつ胸部側Ａの位置には、ゴムひも３２の他端部を取り付けることのできるゴムひも取り付け部３３が設けられている。そして、模擬小腸１３の５個の取り付け片２７にそれぞれ取り付けられている５本のゴムひも３２の総ての他端部が、このゴムひも取り付け部３３に取り付けられている。このような取り付けを行うために、具体的には、ゴムひも取り付け部３３は、５本のゴムひも３２を共通に挿通させた挿通孔を有する取り付け具から構成されている。そして、５本のゴムひも３３は、上記挿通孔に挿通されてから、取り付け具３３にくくり付けられるか、あるいは、抜け止め用の結び目をつけられる。【００３５】
取り付け片２７のうちの１つは、模擬小腸１３のうちでシート２４の下で折りたたまれているかまたはループを描いている部分に取り付けられている。この取り付け片２７に取り付けられているゴムひも３２は、シート２４の下を通り、このシート２４の側端と模擬腹腔１５との隙間からシート２４の上に出てから、ゴムひも取り付け部３３に取り付けられている。残り４個の取り付け片２７は、模擬小腸１３のうちでシート２４の上に配置されている部分に取り付けられている。これら４個の取り付け片２７に取り付けられているゴムひも３２は、シート２４の上を通って、ゴムひも取り付け部３３に取り付けられている。【００３６】
生体３０では、図４に示すように、小腸３４のうちで大腸３５に比較的近い部分は、ジグザグに折りたたまれた状態でもって腹腔の後壁から伸びている腸間膜３６に付着している。この腸間膜３６は、腹腔の後壁の右側（すなわち、生体自身から見た右側）でかつ胸部側の付着部３７で腹腔の後壁に付着しており、この付着部３７から小腸３５に向かって伸びている。このために、図５に示すように、内視鏡３８を挿入されることによって伸展した小腸３４には、腸間膜３６によって右胸部方向へ引き戻される力が働く。【００３７】
ゴムひも３２は、この腸間膜３６の働きを模倣する。したがって、練習模型１１においても、模擬小腸１３を引き戻す力が腸間膜３６によって発生する力と同じ方向へ働くように、ゴムひも取り付け部３３も、ケース１２の右側Ｆでかつ胸部側Ａの位置に設けられている。ゴムひも３２の直径は３ｍｍであり、また、１００％伸長時の荷重は０．２２ｋｇ重である。ゴムひも３２のそれぞれの長さは、模擬小腸１３をシート２４の上に胸部側Ａへ向けて大まかに言ってジグザグに配置した状態のそれぞれのゴムひも取り付け部３３から取り付け片２７までの距離に合わせてあり、具体的には１０〜５０ｃｍである。【００３８】
２、第２の実施例
この第２の実施例は、内視鏡３８を口から食道および胃をそれぞれ経由して小腸３４内にまで挿入する操作を練習するための練習模型１１である。この第２の実施例においては、既述の第１の実施例と対応する部分については、この第１の実施例において用いた符号を用いている。なお、既述の第１の実施例の練習模型１１における模擬小腸１３は、大腸３５に近い部分の小腸３４（換言すれば、回腸）を模倣している。しかし、この第２の実施例の練習模型１１における模擬小腸１３は、胃および十二指腸のそれぞれに近い部分の小腸３４（換言すれば、空腸）を模倣している。そして、胃および十二指腸のそれぞれに近い部分の小腸３４（換言すれば、空腸）においては、内視鏡３８を挿入した際には、腸間膜３６によって左上方向へ軽く引っ張る力が働く。このために、この第２の実施例の練習模型１１における模擬小腸１３の取り付け片２７に取り付けられているゴムひも３２は、第１の実施例とは異なって、ケース１２の左側Ｅでかつ胸部側Ａの位置に取り付けられている。【００３９】
また、この第２の実施例では、模擬大腸１４は不要であり、したがって、模擬大腸１４を覆うシート２４も不要である。ただし、模擬小腸１３が収容される模擬腹腔１５の内面は、模擬小腸１３の動きを妨げる凹凸があってはならず、また、滑りの悪い表面材質であってはならない。【００４０】
３、第３の実施例
図６〜図１０には、内視鏡３８を肛門から大腸３５を経由して小腸３４内まで挿入する操作を練習するための練習模型１１が、本発明を適用された第３の実施例として示されている。この第３の実施例による練習模型１１の構成および動作が既述の第１の実施例による練習模型１１の構成および動作と相違する点は、基本的には、以下において説明するとおりである。そして、上記第１の実施例について記述した事項は、特に矛盾を生じない限り、この第３の実施例についても同様に当てはまる。この第３の実施例においても、既述の第１の実施例と対応する部分については、この第１の実施例において用いた符号を用いている。【００４１】
まず第１に、第３の実施例におけるケース１２は、第１の実施例におけるケース１２とは、大幅に相違している。この第３の実施例におけるケース１２は、不透明であってよい下側ケース部材４１と、透明であってよい上側ケース部材４２と、透明であってよい天面シート部材４３とを備えている。上側ケース４２を下側ケース部材４１に嵌合したときには、図６および図７に示すように、下側ケース部材４１と上側ケース部材４２との組み合わせ構造は、第１の実施例におけるケース１２と同様の構造を有している。ただし、下側ケース部材４１の上面に突設された模擬腹腔形成用の壁部は、胸部側Ａの立上り壁部４４と下肢側Ｂの立上り壁部４５とに分断されている。【００４２】
下側ケース部材４１は、棚部４６を備えている。この棚部４６は、途中から下肢側Ｂに向かって斜め下方に傾斜して延在している。下側ケース部材４１には、模擬肛門１６を形成するための外向きフランジ付き円筒部材が取り付けられている。棚部４６の上面には、模擬大腸１４などを位置保持するための突起部４７が突設されている。棚部４６の上側には、模擬大腸１４と棚部４６とを弾性的に連結しているコイルばね（換言すれば、長手状弾性体）４８が張設されている。このコイルばね４８の一端は、取り付け片５１を介して模擬大腸１４に取り付けられている。このコイルばね４８の他端は、取り付け片５２を介して棚部４６に取り付けられている。符号５３は、模擬大腸１４の適当箇所を左右両側から位置保持する左右一対の位置保持部材である。これらの位置保持部材５３は、ねじ止めなどによって、棚部４６に固定されることができる。また、これらの位置保持部材５３の上面（換言すれば、円柱面の一部としての円弧状の凹面）には、模擬大腸１４の一部が接着剤などによって固着されることができる。【００４３】
上側ケース部材４２の上面には、第１の実施例における模擬腹腔１５の上面開口とほぼ同形であってよい上面開口（換言すれば、天面開口）５４が形成されている。上側ケース部材４２の上面には、この上面開口５４を閉塞することができる天面シート部材４３が取り付けられている。この取り付けのために、天面シート部材４３には、その内側面の例えば８ヶ所に、雄型または雌型の面ファスナ（商標：マジックテープ）５５がそれぞれ配設されている。また、上側ケース部材４２には、その外側面の例えば８ヶ所に、面ファスナ５５にそれぞれ対応するように雌型または雄型の面ファスナ（商標：マジックテープ）５６がそれぞれ配設されている。したがって、面ファスナ５５、５６の相互の結合が解除されるように、天面シート部材４３を上側ケース部材４２から剥がして取り外すと、第１の実施例における図１に示す場合と同様に、模擬腹腔１５を外部に晒すことができる。【００４４】
また、第３の実施例においては、ケース１２へのゴムひも３２の取り付け構造が第１の実施例の場合とは相違している。すなわち、５本のゴムひも３２の外側端部は、上側ケース部材４２のほぼ円形状などの小さな開孔５７と、天面シート部材４３のほぼ長円形状などの大きな開孔５８とを通って、ケース１２の外部に導出されている。そして、これらのゴムひも３２の外側端部には、「コードロック」と通常称されているほぼ球形状、ほぼ円柱形状などの止着具６１が取り付けられている。この場合、１個の止着具６１には１本または複数本のゴムひも３２が取り付けられることができる。したがって、模擬小腸１３が変形することによってゴムひも３２が引っ張られたときには、重りを兼ねている止着具６１が上側ケース部材４２の開孔５７に向かって引っ張られる。しかし、この開孔５７は止着具６１よりも小さいので、上記引っ張りが強くても、止着具６１が上側ケース４２の外側から開孔５７を通って上側ケース部材４２の内側に移動する恐れはない。【００４５】
また、第３の実施例においては、シート２４をケース１２に取り付けているひも２５についても、止着具６１と同様の止着具６２が用いられている。ひも２５の外側端部は、上側ケース部材４２に設けられかつ開孔５７と同様の形状であってよい開孔６３を通して、上側ケース部材４２の外側に導出されてから、止着具６２を取り付けられている。【００４６】
さらに、第３の実施例においては、練習模型１１が、練習模型本体（換言すれば、ケース１２）とは別に、載置板６４を備えている。この載置板６４は、ほぼ長方形状などの木製などの板状体から構成されている載置板本体６５と、この載置板本体６５の一方の面（具体的には、上側の面）に突設するように、載置板本体６５に取り付け固定された例えば一対の金属製などの位置決め用係合ピン６６とを備えている。これらの位置決め用係合ピン６６は、左右方向においてはいずれか一方に片寄った位置において、また、胸部側Ａから下肢側Ｂに向かう方向においてはほぼ対称的な位置において、載置板本体６５に配設されることができる。また、ケース１２（換言すれば、下側ケース部材４１）の下側面の例えば２ヶ所の隅部分には、例えば一対の位置決め用係合ピン６６に対応するように、例えば一対の位置決め用係合孔６７がそれぞれ配設されている。また、ケース１２（換言すれば、下側ケース部材４１）の右側Ｆの側面の例えば２ヶ所の隅部分には、例えば一対の位置決め用係合ピン６６に対応するように、例えば一対の位置決め用係合孔６８が配設されている。これらの位置決め用係合孔６７、６８は、外向きフランジ付きの円筒部材を下側ケース部材４１に部分的に埋め込むことなどによって形成されることができる。【００４７】
練習模型１１は、上述のように構成された載置板６４を備えている。したがって、例えば一対の位置決め用係合ピン６６を例えば一対の係合孔６７に嵌合させたときには、図６および図７に示すように、生体３０が上向きになって寝転がった状態（すなわち、仰臥位になった状態）と同様の状態になっている練習模型１１を内視鏡３８の操作の練習に用いることができる。また、例えば一対の位置決め用係合ピン６６を例えば一対の係合孔６８に嵌合させたときには、図８に示すように、生体３０が横向きになって寝転がった状態（すなわち、側臥位になった状態）と同様の状態になっている練習模型１１を内視鏡３８の操作の練習に用いることができる。【００４８】
また、図１０には、図６および図７に示す載置板付き練習模型１１が適当な場所に収納されたり、いずれかの場所に搬送されたりするときの状態が示されている。この場合、図６に示す載置板付き練習模型１１は、図１０に示すように、ケース１２および載置板６４の胸部側Ａの部分に巻かれて締め付けられた第１の締め付けベルト７１と、ケース１２および載置板６４の下肢側Ｂの部分に巻かれて締め付けられた第２の締め付けベルト７２とを備えていてよい。したがって、図１０に示す載置板付き練習模型１１は、収納および搬送に適した状態になっている。この場合、ベルト７１、７２は、載置板６４の例えば下面にビス止めなどにより予め取り付けられていてよい。さらに、上記ビス止めに代えて、または、上記ビス止めに加えて、載置板６４およびケース１２の一方または両方には、ベルト７１、７２のためのベルト通し（図示せず）を、必要に応じて設けることができる。【００４９】
以上、本発明の第１〜第３の実施例について詳細に説明したが、本発明は、これら第１〜第３の実施例に限定されるものではなく、請求の範囲に記載された発明の趣旨に基づいて、各種の変更および修正が可能である。【００５０】
例えば、内視鏡３８を肛門から大腸３５を経由して小腸３４内にまで挿入する操作を練習するための第１の実施例による練習模型１１を、上記第２の実施例においては、内視鏡３８を口から食道および胃をそれぞれ経由して小腸３４内にまで挿入する操作を練習するための練習模型１１に設計変更している。これと同様の設計変更は、上記第３の実施例についても行うことができる。このような設計変更を行った場合、上記第３の実施例による練習模型１１は、内視鏡３８を口から食道および胃をそれぞれ経由して小腸３４内にまで挿入する操作を練習できるものになる。【００５１】
また、上記第３の実施例においては、上側ケース部材４２の天面開口５４を透明であってよい天面シート部材４３でもって閉塞するようにした。このような天面シート部材４３は、上記第１および第２の実施例においても設けることができる。この場合、上記第１および第２の実施例による練習模型１１においては、模擬腹腔１５の上面開口は、透明であってよい天面シート部材４３によって、上記第３の実施例の場合と同様にして、開放可能に閉塞されることになる。【００５２】
また、上記第３の実施例においては、練習模型１１のケース１２を載置するための載置板６４を備えている。しかし、この載置板６４に脚部を設けることによって、この載置板６４を載置台に設計変更することもできる。【００５３】
さらに、上記第１および第２の実施例においては、総ての長手状弾性体３２の外側端部側を共通のゴムひも取付部３３に取り付けるようにした。しかし、複数本の長手状弾性体３２を２組またはそれ以上の組に分けて、各組の長手状弾性体３２の外側端部側を複数のゴムひも取り付け部３３のそれぞれに取り付けるようにしてもよい。また、上記第３の実施例においても、取り付け部としての開孔５７を複数個設け、これら複数個の開孔５７のそれぞれに複数本の長手状弾性体３２の外側端部側を選択的に取り付けるようにしてもよい。ただし、本発明においては、模擬小腸３４の複数の箇所にそれぞれ取り付けられている一端部側を有する総ての長手状弾性体３２の他端部側が、ほぼ共通の箇所に向かって寄せ集められてから、ケース１２側の１箇所または複数箇所の取り付け部に一括してまたは一括せずに取り付けられるのが好ましい。
【産業上の利用可能性】
【００５４】
本発明は、医師が小腸内へ内視鏡を挿入して小腸の内部をこの内視鏡で観察したり処置したりすることに習熟するための小腸内視鏡練習模型の製造などに、利用することができる。
【図１】
2011027634.tif 000003
【図２】
2011027634.tif 000004
【図３】
2011027634.tif 000005
【図４】
2011027634.tif 000006
【図５】
2011027634.tif 000007
【図６】
2011027634.tif 000008
【図７】
2011027634.tif 000009
【図８】
2011027634.tif 000010
【図９】
2011027634.tif 000011
【図１０】
2011027634.tif 000012
【手続補正書】
【提出日】平成24年1月23日(2012.1.23)
【手続補正１】
【補正対象書類名】特許請求の範囲
【補正対象項目名】全文
【補正方法】変更
【補正の内容】
【特許請求の範囲】
【請求項１】
模擬腹腔のための空間を有するケースと、
上記模擬腹腔のための空間に収容されている模擬小腸とを備えている小腸内視鏡練習模型において、
上記模擬小腸の複数の箇所にそれぞれ弾性力を加えるための複数本の長手状弾性体を備え、
上記長手状弾性体のそれぞれの一端部側が、上記模擬小腸側の上記複数の箇所付近である複数の第１の取り付け部にそれぞれ取り付けられ、
上記長手状弾性体のそれぞれの他端部側が、上記ケース側の第２の取り付け部にそれぞれ取り付けられていることを特徴とする小腸内視鏡練習模型。
【請求項２】
上記模擬小腸内へ内視鏡が挿入されて上記模擬小腸が伸展されたときに、上記複数本の長手状弾性体によってそれぞれ加えられる上記弾性力が、生体の腸間膜による小腸の元の位置への復元力に近似していることを特徴とする、請求の範囲第１項に記載の小腸内視鏡練習模型。
【請求項３】
上記複数本の長手状弾性体が、それらの一端部側からそれらの他端部側にかけてほぼ共通の箇所に向かって寄せ集められて、上記ケース側の１つまたは複数の上記第２の取り付け部に取り付けられていることを特徴とする、請求の範囲第１項または第２項に記載の小腸内視鏡練習模型。
【請求項４】
上記複数本の長手状弾性体の他端部側が、上記ケース側の共通の上記第２の取り付け部に取り付けられていることを特徴とする、請求の範囲第１項、第２項または第３項に記載の小腸内視鏡練習模型。
【請求項５】
上記複数本の長手状弾性体によって上記模擬小腸にそれぞれ加えられる上記弾性力が、上記複数本の長手状弾性体のそれぞれの長さ方向にほぼ沿った引っ張り力であることを特徴とする、請求の範囲第１項〜第４項のうちのいずれか１つに記載の小腸内視鏡練習模型。
【請求項６】
上記複数本の長手状弾性体のそれぞれがゴムひもおよび／またはコイルばねであることを特徴とする、請求の範囲第１項〜第５項のうちのいずれか１つに記載の小腸内視鏡練習模型。
【請求項７】
上記複数本の長手状弾性体のそれぞれがゴムひもであることを特徴とする、請求の範囲第１項〜第５項のうちのいずれか１つに記載の小腸内視鏡練習模型。
【請求項８】
上記複数本の長手状弾性体の本数が３本〜１０本の範囲であることを特徴とする、請求の範囲第１項〜第７項のうちのいずれか１つに記載の小腸内視鏡練習模型。
【請求項９】
上記複数本の長手状弾性体の本数が４本〜８本の範囲であることを特徴とする、請求の範囲第１項〜第７項のうちのいずれか１つに記載の小腸内視鏡練習模型。
【請求項１０】
上記複数の第１の取り付け部の取り付け間隔が、上記模擬小腸の仮想の軸心を直線状に配置したときの軸心方向における長さに換算して、１５〜３０ｃｍの範囲であることを特徴とする、請求の範囲第１項〜第９項のうちのいずれか１つに記載の小腸内視鏡練習模型。
【請求項１１】
上記複数の第１の取り付け部の取り付け間隔が、上記模擬小腸の仮想の軸心を直線状に配置したときの軸心方向における長さに換算して、１８〜２４ｃｍの範囲であることを特徴とする、請求の範囲第１項〜第９項のうちのいずれか１つに記載の小腸内視鏡練習模型。
【請求項１２】
上記長手状弾性体の１００％伸長時の荷重が、０．１５〜０．３０ｋｇ重の範囲であることを特徴とする、請求の範囲第１項〜第１１項のうちのいずれか１つに記載の小腸内視鏡練習模型。
【請求項１３】
上記長手状弾性体の１００％伸長時の荷重が、０．２０〜０．２４ｋｇ重の範囲であることを特徴とする、請求の範囲第１項〜第１１項のうちのいずれか１つに記載の小腸内視鏡練習模型。
【請求項１４】
内視鏡を肛門から大腸を経由して小腸内にまで挿入する操作が練習できるように構成されていることを特徴とする、請求の範囲第１項〜第１３項のうちのいずれか１つに記載の小腸内視鏡練習模型。
【請求項１５】
内視鏡を口から食道および胃を経由して小腸内にまで挿入する操作が練習できるように構成されていることを特徴とする、請求の範囲第１項〜第１３項のうちのいずれか１つに記載の小腸内視鏡練習模型。
【請求項１６】
上記模擬腹腔のための空間に収容されている模擬大腸と、
上記模擬大腸の腹面側に敷設されているシートと、
上記シートに設けられている開孔とを備え、
上記模擬小腸が、上記シートの腹面側に配置されるとともに、上記開孔を通過して上記模擬大腸に接続されており、
上記模擬大腸と、上記模擬小腸のうちの上記開孔よりも背面側の部分とが、上記シートによってほぼ覆われていることを特徴とする、請求の範囲第１項〜第１４項のうちのいずれか１つに記載の小腸内視鏡練習模型。
【請求項１７】
上記複数の第１の取り付け部が、上記シートよりも腹面側の箇所と、上記シートよりも背面側の箇所とを含んでおり、
上記シートよりも腹面側の箇所に上記一端部側が取り付けられている上記長手状弾性体は、上記シートよりも腹面側を通過して上記第２の取り付け部まで延びており、
上記シートよりも背面側の箇所に上記一端部側が取り付けられている上記長手状弾性体は、上記シートよりも背面側を通過して上記第２の取り付け部まで延びていることを特徴とする、請求の範囲第１６項に記載の小腸内視鏡練習模型。
【請求項１８】
上記模擬小腸を、その長さ方向におけるほぼ全長にわたって、上記模擬腹腔の内側表面に接触させることができるように構成され、
上記模擬小腸内へ挿入された内視鏡によってその内側から押された上記模擬小腸が、上記模擬腹腔の上記内側表面に沿って移動できるように、上記内側表面が平滑さを有していることを特徴とする、請求の範囲第１項〜第１５項のうちのいずれか１つに記載の小腸内視鏡練習模型。
【請求項１９】
上記ケースが、ケース本体と、このケース本体の上面に形成された天面開口を閉塞および開放し得るように、上記ケース本体に取り付けられる天面シート部材とを備えていることを特徴とする、請求の範囲第１項〜第１８項のうちのいずれか１つに記載の小腸内視鏡練習模型。
【請求項２０】
上記ケースが、不透明な下側ケース部材と、この下側ケース部材に着脱自在に結合される透明な上側ケース部材と、この上側ケース部材の上面に形成された天面開口を閉塞および開放し得るように、上記上側ケース部材に取り付けられる天面シート部材とを備えていることを特徴とする、請求の範囲第１項〜第１８項のうちのいずれか１つに記載の小腸内視鏡練習模型。
【請求項２１】
上記下側ケース部材が、棚部と、模擬腹腔のための空間を形成するための立ち上がり壁部とを備えていることを特徴とする、請求の範囲第２０項に記載の小腸内視鏡練習模型。
【請求項２２】
上記ケースを載置するための載置板または載置台を備え、
上記載置板または載置台上に上記ケースをほぼ水平な状態で載置することと、上記載置板または載置台上に上記ケースをほぼ垂直な状態で載置することとを選択的に可能にする係合機構をさらに備えていることを特徴とする、請求の範囲第１項〜第２１項のうちのいずれか１つに記載の小腸内視鏡練習模型。
【請求項２３】
上記係合機構が、上記ケースと上記載置板または載置台とのうちの一方に設けられた複数の係合ピンと、上記ケースと上記載置板または載置台とのうちの他方に設けられた複数の係合孔とを備えていることを特徴とする、請求の範囲第２２項に記載の小腸内視鏡練習模型。 
【手続補正書】
【提出日】平成24年7月10日(2012.7.10)
【手続補正１】
【補正対象書類名】特許請求の範囲
【補正対象項目名】全文
【補正方法】変更
【補正の内容】
【特許請求の範囲】
【請求項１】
模擬腹腔のための空間を有するケースと、
上記模擬腹腔のための空間に収容されている模擬小腸とを備えている小腸内視鏡練習模型において、
上記模擬小腸の複数の箇所にそれぞれ弾性力を加えるための複数本の長手状弾性体を備え、
上記長手状弾性体のそれぞれの一端部側が、上記模擬小腸側の上記複数の箇所付近である複数の第１の取り付け部にそれぞれ取り付けられ、
上記長手状弾性体のそれぞれの他端部側が、上記ケース側の第２の取り付け部にそれぞれ取り付けられていることを特徴とする小腸内視鏡練習模型。
【請求項２】
上記模擬小腸内へ内視鏡が挿入されて上記模擬小腸が伸展されたときに、上記複数本の長手状弾性体によってそれぞれ加えられる上記弾性力が、生体の腸間膜による小腸の元の位置への復元力に近似していることを特徴とする、請求項１に記載の小腸内視鏡練習模型。
【請求項３】
上記複数本の長手状弾性体が、それらの一端部側からそれらの他端部側にかけてほぼ共通の箇所に向かって寄せ集められて、上記ケース側の１つまたは複数の上記第２の取り付け部に取り付けられていることを特徴とする、請求項１または２に記載の小腸内視鏡練習模型。
【請求項４】
上記複数本の長手状弾性体の他端部側が、上記ケース側の共通の上記第２の取り付け部に取り付けられていることを特徴とする、請求項１、２または３に記載の小腸内視鏡練習模型。
【請求項５】
上記複数本の長手状弾性体によって上記模擬小腸にそれぞれ加えられる上記弾性力が、上記複数本の長手状弾性体のそれぞれの長さ方向にほぼ沿った引っ張り力であることを特徴とする、請求項１〜４のうちのいずれか１つに記載の小腸内視鏡練習模型。
【請求項６】
上記複数本の長手状弾性体のそれぞれがゴムひもおよび／またはコイルばねであることを特徴とする、請求項１〜５のうちのいずれか１つに記載の小腸内視鏡練習模型。
【請求項７】
上記複数本の長手状弾性体のそれぞれがゴムひもであることを特徴とする、請求項１〜５のうちのいずれか１つに記載の小腸内視鏡練習模型。
【請求項８】
上記複数本の長手状弾性体の本数が３本〜１０本の範囲であることを特徴とする、請求項１〜７のうちのいずれか１つに記載の小腸内視鏡練習模型。
【請求項９】
上記複数本の長手状弾性体の本数が４本〜８本の範囲であることを特徴とする、請求項１〜７のうちのいずれか１つに記載の小腸内視鏡練習模型。
【請求項１０】
上記複数の第１の取り付け部の取り付け間隔が、上記模擬小腸の仮想の軸心を直線状に配置したときの軸心方向における長さに換算して、１５〜３０ｃｍの範囲であることを特徴とする、請求項１〜９のうちのいずれか１つに記載の小腸内視鏡練習模型。
【請求項１１】
上記複数の第１の取り付け部の取り付け間隔が、上記模擬小腸の仮想の軸心を直線状に配置したときの軸心方向における長さに換算して、１８〜２４ｃｍの範囲であることを特徴とする、請求項１〜９のうちのいずれか１つに記載の小腸内視鏡練習模型。
【請求項１２】
上記長手状弾性体の１００％伸長時の荷重が、０．１５〜０．３０ｋｇ重の範囲であることを特徴とする、請求項１〜１１のうちのいずれか１つに記載の小腸内視鏡練習模型。
【請求項１３】
上記長手状弾性体の１００％伸長時の荷重が、０．２０〜０．２４ｋｇ重の範囲であることを特徴とする、請求項１〜１１のうちのいずれか１つに記載の小腸内視鏡練習模型。
【請求項１４】
上記模擬腹腔のための空間に収容されている模擬大腸と、
上記模擬大腸の腹面側に敷設されているシートと、
上記シートに設けられている開孔とを備え、
上記模擬小腸が、上記シートの腹面側に配置されるとともに、上記開孔を通過して上記模擬大腸に接続されており、
上記模擬大腸と、上記模擬小腸のうちの上記開孔よりも背面側の部分とが、上記シートによってほぼ覆われていることを特徴とする、請求項１〜１３のうちのいずれか１つに記載の小腸内視鏡練習模型。
【請求項１５】
上記複数の第１の取り付け部が、上記シートよりも腹面側の箇所と、上記シートよりも背面側の箇所とを含んでおり、
上記シートよりも腹面側の箇所に上記一端部側が取り付けられている上記長手状弾性体は、上記シートよりも腹面側を通過して上記第２の取り付け部まで延びており、
上記シートよりも背面側の箇所に上記一端部側が取り付けられている上記長手状弾性体は、上記シートよりも背面側を通過して上記第２の取り付け部まで延びていることを特徴とする、請求項１４に記載の小腸内視鏡練習模型。
【請求項１６】
上記模擬小腸を、その長さ方向におけるほぼ全長にわたって、上記模擬腹腔の内側表面に接触させることができるように構成され、
上記模擬小腸内へ挿入された内視鏡によってその内側から押された上記模擬小腸が、上記模擬腹腔の上記内側表面に沿って移動できるように、上記内側表面が平滑さを有していることを特徴とする、請求項１〜１３のうちのいずれか１つに記載の小腸内視鏡練習模型。
【請求項１７】
上記ケースが、ケース本体と、このケース本体の上面に形成された天面開口を閉塞および開放し得るように、上記ケース本体に取り付けられる天面シート部材とを備えていることを特徴とする、請求項１〜１６のうちのいずれか１つに記載の小腸内視鏡練習模型。
【請求項１８】
上記ケースが、不透明な下側ケース部材と、この下側ケース部材に着脱自在に結合される透明な上側ケース部材と、この上側ケース部材の上面に形成された天面開口を閉塞および開放し得るように、上記上側ケース部材に取り付けられる天面シート部材とを備えていることを特徴とする、請求項１〜１６のうちのいずれか１つに記載の小腸内視鏡練習模型。
【請求項１９】
上記下側ケース部材が、棚部と、模擬腹腔のための空間を形成するための立ち上がり壁部とを備えていることを特徴とする、請求項１８に記載の小腸内視鏡練習模型。
【請求項２０】
上記ケースを載置するための載置板または載置台を備え、
上記載置板または載置台上に上記ケースをほぼ水平な状態で載置することと、上記載置板または載置台上に上記ケースをほぼ垂直な状態で載置することとを選択的に可能にする係合機構をさらに備えていることを特徴とする、請求項１〜１９のうちのいずれか１つに記載の小腸内視鏡練習模型。
【請求項２１】
上記係合機構が、上記ケースと上記載置板または載置台とのうちの一方に設けられた複数の係合ピンと、上記ケースと上記載置板または載置台とのうちの他方に設けられた複数の係合孔とを備えていることを特徴とする、請求項２０に記載の小腸内視鏡練習模型。 
【国際調査報告】
2011027634.tif 000013
2011027634.tif 000014
2011027634.tif 000015